Podtech/llm-jp-corpus-v4-ja_patent huggingface dataset:
(57)【要約】【課題】  サーフボードのフィン、特にロングボードのフィンは、座金とネジを用いて、着脱していた。これは、非常に不便であり、使用時不使用時に一々取り外し、取り付けを行うので、極めて労力が要った。本発明はこれを手で簡単に行なえるものとする。【解決手段】  ボックスをサーフボードに掘った溝に接着剤で固定し、ボックスの内側に、段差のある２つの溝を形成する。前部の長溝は、やや高い所にあり、フィンの一つのピンを挿入できる。後部のピンは、ボックスの後部のやや下に設けた数個のＬ字状の溝に挿入できる。フィンは、前部はやや高く、一つ段差を設け、後部はやや下にあるか前部と後部で各々１つ、計２つのピンを設ける。これにより、２つのピンを両溝に嵌めることにより、フィンを固定することができ、フィンの面倒な着脱を克服できる。【選択図】  図２
2005112206.tif 000002
【特許請求の範囲】
【請求項１】
ボックスをサーフボードに掘った溝に接着剤で接着し、該ボックスの内側は、前側のやや高い所に長溝があり、後側に数個のＬ字状の溝があり、フィンには基部の前部のやや上に一つのピンを、基部の後部のやや下にもう一つピンを設け、前側の該ピンが該長溝に、後側のピンが該Ｌ字状の溝に嵌り、手でフィンを着脱することの出来るサーフボード等のフィンの着脱方法。
【請求項２】
フィンの基部の前側に一段上のピン、後側にそれより一段下にピンを設けたサーフボード等のフィン。
【発明の詳細な説明】
【技術分野】
【０００１】
本発明は、サーフボード等のフィンの着脱方法及びそのフィンに関する。
【背景技術】
【０００２】
サーフボードのフィンは、使用時と不使用時に着脱する。不使用時はずさないと、運搬等に不便を来たすからである。この着脱はネジを用いて行なっているが、大変不便である。又、長いサーフボード、いわゆるロングボード用のものは、特にボルトと座金を用いて着脱している。
【特許文献１】特記すべき先行文献なし。
【非特許文献１】サーフィンの雑誌等で取り上げられているものは全てネジによるものである。
【発明の開示】
【発明が解決しようとする課題】
【０００３】
本発明が解決しようとする課題は、ネジを使わず手で簡単にフィンを着脱できる方法及びそのフィンを提供する。
【課題を解決するための手段】
【０００４】
本発明は、ボックスをサーフボードに掘った溝に接着剤で接着し、該ボックスの内側は、前側のやや高い所に長溝があり、後側に数個のＬ字状の溝があり、フィンには基部の前部のやや上に一つのピンを、基部の後部のやや下にもう一つピンを設け、前側の該ピンが該長溝に、後側のピンが該Ｌ字状の溝に嵌り、手でフィンを着脱することの出来るサーフボード等のフィンの着脱方法、及び、フィンの基部の前側に一段上のピン、後側にそれより一段下にピンを設けたサーフボード等のフィンに関する。
【発明の効果】
【０００５】
本発明のサーフボードへのフィンの着脱方法は、ネジを用いないため労力が大変減少する。１つのサーフボードに３つのフィンがつくので、今までのネジを用いた方法では大変面倒なものであったが、これにすると簡単に手で着脱できる。又、フィンもシンプルな構成で使いやすく、非常に便利である。
【発明を実施するための最良の形態】
【０００６】
ボックス１があり、ボックス１の側面に接着剤用の溝２がある。ボックスは、縦長の溝をサーフボードに堀り、そこに埋め込んで接着するもので、溝２は、接着剤が良くつくためのものである。ボックスの内側は、導入溝３が中央に縦方向にあり、第１平面部４とそれより少し下に第２平面部５がある。
第２平面部５には、後方に７つ又は数個の、下へ行き、後に進む、Ｌ字状の溝６が掘ってある。
前部の平面部７には、何も掘ってないが、第１平面部４の下部と長溝８を形成する。
【０００７】
フィンＡには、基部に前上ピン９と後下ピン１０が突出し、前上ピン９はフィンの前部１０のやや上に、後下ピン１０は後部のやや下に突出している。
【０００８】
操作は、フィンＡのピンを導入溝３に入れ、前後に動かすと、先ず、前上ピン９が長溝８に入り、後下ピン９は、Ｌ字状の溝に嵌り、これにより、両ピンは固定される。後下ピンは数個のＬ字状溝６のどれでも良い。
【０００９】
第１段平面部４には壁１１があり、そこに水平維持部１２がつく。この壁１１はボックス１をサーフボードの穴に固定する時、接着剤が中へ入り込まないように設けたもので、ボックスを穴に固定した後、削り取るものである。又、水平維持具１２は、ボックス１を穴に固定する時、サーフボードの表面と、レベルを同じになるようにしたもので、Ｌ字形をし、先端をサーフボードの表面に接して水平を得るものである。これも後に削り取るものである。
Ｃ線以上のものは全て削り取り、完成時サーフボードの表面は水平で滑らかとなる。
【００１０】
又、フィンも独特のもので、シンプルな構成で、段違いの２つのピンのみを用いるものであり、使いやすい。
尚、図６の数字１３は、従来例のネジであり、１４は座金、１５はピンである。
【産業上の利用可能性】
【００１１】
今まで、ネジと座金を用いて着脱していたフィンが、手で簡単に行えるもので、世界的に利用可能性は大である。
【図面の簡単な説明】
【００１２】
【図１】側面図である。
【図２】斜視図である。
【図３】Ｌ字状の溝を示す側面図である。
【図４】断面図である。
【図５】フィンを示す側面図である。
【図６】従来例の側面図である。
【符号の説明】
【００１３】
１  ボックス
２  溝
３  導入溝
４  第１平面図
５  第２平面図
６  Ｌ字状の溝
７  前の第２平面図
８  長溝
９  前上ピン
１０  後下ピン
１１  壁
１２  水平維持具
１３  従来例のネジ
１４  座金
１５  ピン
Ａ  フィン
Ｂ  サーフボード
Ｃ  サーフボードの表面
【図１】
2005112206.tif 000003
【図２】
2005112206.tif 000004
【図３】
2005112206.tif 000005
【図４】
2005112206.tif 000006
【図５】
2005112206.tif 000007
【図６】
2005112206.tif 000008
(57)【要約】【課題】自動車の車室内の悪臭を効率良く低コストで除去し、メンテナンスを不要とする。【解決手段】脱臭器１は、板材の端部を折り曲げて取り付け部を１１を形成したプラスチック製の板体であり、この板体の表面に光触媒塗料を活性炭とともに塗布してある。取り付け部１１をサンバイザー２に引っ掛けて固定する。運転者に照射する太陽光を遮蔽する目的で設けたサンバイザー２に取り付けて使用するものであるので、フロントガラス３を通して室内に射し込む太陽光によって効率的に悪臭の分解がおこなわれる。自動車の正面から太陽光が照射されず、側方から照射されている場合は、脱臭器１の光触媒の塗布面に太陽光が照射されるようにサンバイザー２の向きを変更する。【選択図】図１
2005112276.tif 000002
【特許請求の範囲】
【請求項１】
板体の表面に光触媒塗料が塗布してあり、端部に自動車のサンバイザーに引っ掛ける取り付け部が形成してある自動車用脱臭器。
【請求項２】
請求項１において、光触媒塗料に悪臭物質分子を吸着する物質が混合してある自動車用脱臭器。
【発明の詳細な説明】
【技術分野】
【０００１】
本発明は、自動車の車室内の悪臭を除去するための自動車用脱臭器に関する。
【背景技術】
【０００２】
自動車の車室内は、閉じられた空間であり、内装材や接着剤などから揮発性物質が蒸発し、新車は車室内に有機溶媒臭がする。また、車室内での喫煙やエアコン始動時にフィルターの悪臭が車室内に充満することがあり、脱臭装置として活性炭等を利用して悪臭成分を吸着するものやオゾンの酸化分解力によって悪臭成分を酸化・分解するオゾン脱臭装置、また、光触媒塗料の触媒作用を利用した悪臭分解装置も提案されている。
【特許文献１】特開平９−３０１７４０号公報
【特許文献２】特開平１１−１２９７４６号公報
【発明の開示】
【発明が解決しようとする課題】
【０００３】
活性炭等を利用した悪臭吸着装置は、悪臭成分を物理吸着または化学吸着により保持するものであり、吸着能力が飽和するとそれ以上脱臭できなくなる。
オゾンの酸化分解力によって、悪臭成分を酸化・分解するオゾン脱臭装置は、オゾンが人体に有害で環境基準で許容濃度が定められており、使用は好ましくない。
光触媒塗料を利用した悪臭脱臭装置は、光触媒塗料に紫外光等の光エネルギーを照射する必要があり、車室内において常に光が照射されるようにするために導光装置が必要であり、設置や維持管理が面倒であり、コスト的に問題があった。
【０００４】
本発明は、このような従来技術が有する問題を解決するものであり、車室内の悪臭を効率良く低コストで除去でき、メンテナンスが容易な自動車用脱臭器を提供するものである。
【課題を解決するための手段】
【０００５】
自動車において太陽が良くあたるサンバイザーを利用するもので、サンバイザーに着脱自在に取り付けることができる取り付け部を有する板体に光触媒塗料を表面に塗布したものである。
さらに、光触媒塗料に悪臭物質分子を吸着する物質を混合することにより脱臭を効果的におこなえるようにしたものである。
【０００６】
光触媒塗料を用いた脱臭器は触媒作用を利用して脱臭することから吸着飽和のような現象が起こらず、能力の低下がないため、メンテナンスフリーである。また、光触媒材料として使われる酸化チタン等は人体に無害であり、閉じられた空間である車室内で使用しても健康に問題がない。
悪臭成分の濃度が減少してくると、光触媒への吸着速度が減少し、分解速度が低下するが、吸着剤に一時的に吸着させて、徐々に放出する悪臭成分は光触媒によって分解させることも可能である。
【発明を実施するための最良の形態】
【０００７】
図１に示すように本発明の脱臭器１は、板材の端部を折り曲げて取り付け部１１を形成したプラスチック製の板体であり、既存のサンバイザー２に着脱自在に設けたものである。この板体の表面に光触媒塗料を活性炭等の吸着剤（シリカゲル、ゼオライト、セピオライト、ミズカナイト）とともに塗布したものである。取り付け部１１は、板材の全長に設ける必要はなく、少なくとも両端部に２〜３ｃｍ程度形成してあればよい。
脱臭器１の光触媒塗料としては、酸化チタン（ＴｉＯ2）等の金属酸化物を含む塗料を使用する。塗布手段は、刷毛塗り、または、スプレーで塗膜厚を１５０μｍ〜５００μｍ程度とする。
【０００８】
光触媒は、紫外光などの光エネルギーにより電子が励起され、正孔が発生し、この正孔が光触媒粉表面で悪臭成分分子と接触して酸化分解反応を起こす。酸化チタンの結晶構造は、アナタース型のものを用い、できるだけ比表面積の大きなものを使用するのが好ましい。アナタース型酸化チタン以外に酸化亜鉛、酸化スズ、チタン酸ストロンチウム等、光エネルギーで酸化分解機能を有する材料を用いることができる。
【０００９】
効率的に光触媒による反応をおこなわせるためには、光触媒に光を照射することが肝要であるが、本発明の脱臭器１は、運転者に照射する太陽光を遮蔽する目的で設けたサンバイザー２に取り付けて使用するものであるので、フロントガラス３を通して室内に射し込む太陽光によって効率的に悪臭の分解がおこなわれる。
自動車の正面から太陽光が照射されず、側方から照射されている場合は、脱臭器１の光触媒塗布面が太陽光に照射されるようにサンバイザー２の向きを変更する。
【００１０】
光触媒塗料に悪臭成分分子の吸着剤が混合してあるので、悪臭成分分子は吸着剤に一時的に吸着させ、この吸着剤から放出される悪臭成分分子を酸化チタン等の光触媒により酸化・分解される。この吸着剤としては、酸性、中性、塩基性に分類される悪臭成分全般に対して有効なものを選択する。複合的な悪臭を脱臭するため、シリカゲル、ゼオライト、セピオライト、ミズカナイト及び活性炭等を使用することができる。
【産業上の利用可能性】
【００１１】
以上のように、本発明の自動車用脱臭器は、太陽光がよく射し込む位置にあるサンバイザーに着脱自在に取り付けて利用するもので、効率よく悪臭の分解がおこなわれ、また、サンバイザーに引っ掛ける等の取り付け部を形成するだけでよいので低コストで製造することができる。
また、紫外線を励起光源とした光触媒と臭いを吸着する吸着剤とを混合してあるので、たばこ臭や排ガス臭等の脱臭に有効である。
【図面の簡単な説明】
【００１２】
【図１】脱臭器をサンバイザーに取り付けた状態の断面図。
【図２】脱臭器をサンバイザーに取り付けた状態の斜視図。
【符号の説明】
【００１３】
１    脱臭器
２    サンバイザー
３    フロントガラス
１１  取り付け部
【図１】
2005112276.tif 000003
【図２】
2005112276.tif 000004
(57)【要約】【課題】大掛かりな装置や仮設材を必要とせずに容易にロープ掛けを行なうことが出来るエレベータのロープ掛け方法の提供。【解決手段】作業足場６の最上階５ｂ付近の作業足場６ａのみを解体し、この解体した作業足場６ａの直下の作業足場６ｂ上で、かご枠１４およびかご下プーリ１５とを組立てた後、上記かご下プーリ１５にロープを掛けまわし、かご側ロープ端部７ｂを頂部ビーム８に取付けてロープ掛けを実施する。【選択図】図１
2005112587.tif 000002
【特許請求の範囲】
【請求項１】
両端部を昇降頂部近傍に取り付けるとともに、中間部をエレベータ昇降路の頂部に配置した転向プーリと、上記昇降路の底部に配置したトラクションマシンと、つりあいおもりおよびかご枠の下部に設けたかご下プーリとにそれぞれ掛けまわして行なうエレベータのロープ掛け方法において、
上記昇降路の全行程にわたって作業足場を組立て、この作業足場を用いて上記昇降路内の機器を所定の位置に取付けた後、つりあいおもりを昇降路底部に載置し、このつりあいおもりプーリへのロープ掛けを含めて上記かご下プーリを除いた部分のロープ掛けを行なった後、上記作業足場の最上階部分のみを解体し、この解体した作業足場の直下の作業足場上で、かご枠と上記かご下プーリとを組立てるとともに上記かご下プーリへのロープ掛けを行なうことを特徴とするエレベータのロープ掛け方法。
【発明の詳細な説明】
【技術分野】
【０００１】
この発明は、エレベータのロープ掛け方法に関する。
【背景技術】
【０００２】
従来、その両端部を昇降頂部近傍に取り付けるとともに、その中間部をエレベータ昇降路の頂部に配置した転向プーリと、昇降路の底部に配置したトラクションマシンと、つりあいおもりおよびかご枠の下部に設けたかご下プーリとにそれぞれ掛けまわして構成したエレベータにおけるロープ掛けの方法としては、昇降路の全行程にわたって作業足場を組立てた状態でかご下プーリのみを最下階付近に仮固定し、つりあいおもりを最上階付近に配置することで、作業足場を解体することなくロープ掛けを実施する方法が知られている（特許文献１参照）。
【特許文献１】特開２００１−１２２５５６公報（段落番号００１２〜００１３、図１）
【発明の開示】
【発明が解決しようとする課題】
【０００３】
上記のような従来のロープ掛け方法において、最下階付近に仮固定するかご下プーリには、転向プーリおよびトラクションマシンにそれぞれ掛けまわしたロープを介して伝達される最上階付近に配置したつりあいおもりの重力を保持可能な強度を有した仮設材が必要であった。
【０００４】
また、つりあいおもりを最上階付近に配置するための揚重装置が必要であった。
【０００５】
本発明は、上記不都合を解消するために為されたもので、その目的は、大掛かりな装置や仮設材を必要とせずに容易にロープ掛けを行なうことが出来るエレベータのロープ掛け方法を提供することにある。
【課題を解決するための手段】
【０００６】
請求項１に関わる本発明は、上記目的を達成するために、その両端部を昇降頂部近傍に取付けるとともに、その中間部をエレベータ昇降路の頂部に配置した転向プーリと、上記昇降路の底部に配置したトラクションマシンと、つりあいおもりおよびかご枠の下部に設けたかご下プーリとにそれぞれ掛けまわして行なうエレベータのロープ掛け方法において、上記昇降路の全工程にわたって作業足場を組立て、この作業足場を用いて上記昇降路内の機器を所定の位置に取付けた後、つりあいおもりを昇降路底部に載置し、このつりあいおもりプーリへのロープ掛けを含めて上記かご下プーリを除いた部分のロープ掛けを行なった後、上記作業足場の最上階部分のみを解体し、この解体した作業足場の直下の作業足場上で、かご枠と上記かご下プーリとを組立てるとともに上記かご下プーリへのロープ掛けを行なうことを特徴とする。
【０００７】
本発明によれば、昇降路全工程にわたって組立てた作業足場を用いてロープ掛け作業を行なうため、特別に仮設材を必要とせずに円滑にロープ掛け作業を行なうことができる。
【０００８】
また、つりあいおもりを昇降路底部に載置した状態でロープ掛けするため、揚重装置も不要とすることができる。
【発明の効果】
【０００９】
本発明は以上のように構成したことにより、大掛かりな装置や仮設材を必要とせずに容易にロープ掛けを行なうことが出来る。
【発明を実施するための最良の形態】
【００１０】
以下、本発明のエレベータのロープ掛け方法の一実施形態を図に基づいて説明する。
【００１１】
図１は本発明のロープ掛け方法を示す昇降路縦断面図、図２は本発明のロープ掛け方法を示す昇降路縦断面図である。
【００１２】
本実施の形態で、かご下プーリを除いた部分のロープ掛け方法は、図２に示すように、
まず、昇降路１の全工程にわたって作業足場６を組立て、この作業足場６を用いて前記昇降路１内の機器、例えばガイドレール２、頂部ビーム８を所定の位置に取付ける。
【００１３】
その後、ロープ７のつりあいおもり側ロープ端部７ａを前記頂部ビーム８に取り付け、前記昇降路１の底部１ａに載置されたつりあいおもりプーリ９および転向プーリ１１ａ、トラクションマシンプーリ１０、転向プーリ１１ｂにロープ７を掛けまわした後、作業足場６ｂにかご側ロープ端部７ｂを仮固定しておく。
【００１４】
その後、図１に示すように、上記作業足場６の最上階５ｂ付近の作業足場６ａのみを解体し、この解体した作業足場６ａの直下の作業足場６ｂ上で、非常止め装置１４ａを動作させることによりかご枠１４をガイドレール２に仮固定し、上記かご枠１４に上記かご下プーリ１５を組立てた後、上記かご下プーリ１５にロープ７を掛けまわす。
【００１５】
その後かご枠１４上から、かご側ロープ端部７ｂを前記頂部ビーム８に取付けてロープ掛け作業を完了する。
【図面の簡単な説明】
【００１６】
【図１】本発明のロープ掛け方法を示す昇降路縦断面図である。
【図２】本発明のロープ掛け方法を示す昇降路縦断面図である。
【符号の説明】
【００１７】
１    昇降路
１ａ  昇降路底部
２    ガイドレール
５ｂ  最上階
６    作業足場
６ａ  最上階付近作業足場
６ｂ  最上階付近作業足場の直下の作業足場
７    ロープ
７ａ  つりあいおもり側ロープ端部
７ｂ  かご側ロープ端部
８    頂部ビーム
９    つりあいおもりプーリ
１０    トラクションマシンプーリ
１１ａ，１１ｂ    転向ロープ
１４    かご枠
１４ａ  非常止め装置
１５    かご下プーリ
【図１】
2005112587.tif 000003
【図２】
2005112587.tif 000004
(57)【要約】【課題】  高いトルクを得ると共に、部品点数とコストを削減するエレベータ用巻上機を得る。【解決手段】  回転軸１を軸とし、回転軸の軸方向に延びる２個の同軸円筒状の回転子鉄心２，３と、回転軸に固定され、回転子鉄心の一端側をそれぞれ固定保持する円盤状の回転子フレーム４と、円筒状回転子鉄心の外周面にそれぞれ設けられた永久磁石５，６とで構成された回転子７、回転子鉄心の軸方向の開放された他端に、隙間を隔て、回転子鉄心の端面を覆う固定子フレーム８と、この固定子フレームに設けられ、円筒状回転子鉄心の永久磁石側に対向し、回転軸を軸とし、回転軸の軸方向に延びる２個の同軸円筒状の固定子鉄心９，１０と、円筒状の固定子鉄心に設けられ、永久磁石と対向する固定子コイル１１，１２とで構成された固定子１４、回転軸と直結された牽引綱車を備えた。【選択図】図１
2005112583.tif 000002
【特許請求の範囲】
【請求項１】
回転軸、
この回転軸を軸とし、上記回転軸の軸方向に延びる２個の同軸円筒状の回転子鉄心と、上記回転軸に固定され、上記回転子鉄心の一端側をそれぞれ固定保持する円盤状の回転子フレームと、上記円筒状回転子鉄心の外周面にそれぞれ設けられた永久磁石とで構成された回転子、
上記回転子鉄心の軸方向の開放された他端に、隙間を隔て、上記回転子鉄心の端面を覆う固定子フレームと、この固定子フレームに設けられ、上記円筒状回転子鉄心の上記永久磁石側に対向し、上記回転軸を軸とし、上記回転軸の軸方向に延びる２個の同軸円筒状の固定子鉄心と、上記円筒状の固定子鉄心に設けられ、上記永久磁石と対向する固定子コイルとで構成された固定子、
上記回転軸と直結された牽引綱車を備えたエレベータ用巻上機。
【請求項２】
機械室レスエレベータに適用した請求項１記載のエレベータ用巻上機。
【発明の詳細な説明】
【技術分野】
【０００１】
この発明は、エレベータ用巻上機に関し、特にギアレス巻上機を薄型化できるエレベータ用巻上機に係わる。
【背景技術】
【０００２】
従来のエレベータ用巻上機では、例えば、特許文献１に示されるように、２台の電気モータと牽引綱車を有し、牽引綱車が両側のモータ間に配置されている。
【０００３】
【特許文献１】特表２００１−５０８７４４号公報（図６）
【発明の開示】
【発明が解決しようとする課題】
【０００４】
従来の特許文献１のエレベータ用巻上機では、ロータ２個とステータ２個で構成される２台の電気モータを、牽引綱車を挟んで１個づつ両側に用いているものであるので、部品点数及び機器コストの増加を招き、さらに、２つのロータとステータをそれぞれ独立して１個づつ用いているため、巻上機が大型化するという問題点があった。
この発明は、上記のような問題点を解消するためになされたもので、高いトルクを得ると共に、部品点数及び機器コストの削減を図ることを目的とする。
【課題を解決するための手段】
【０００５】
この発明に係わるエレベータ用巻上機は、回転軸、この回転軸を軸とし、上記回転軸の軸方向に延びる２個の同軸円筒状の回転子鉄心と、上記回転軸に固定され、上記回転子鉄心の一端側をそれぞれ固定保持する円盤状の回転子フレームと、上記円筒状回転子鉄心の外周面にそれぞれ設けられた永久磁石とで構成された回転子、上記回転子鉄心の軸方向の開放された他端に、隙間を隔て、上記回転子鉄心の端面を覆う固定子フレームと、この固定子フレームに設けられ、上記円筒状回転子鉄心の上記永久磁石側に対向し、上記回転軸を軸とし、上記回転軸の軸方向に延びる２個の同軸円筒状の固定子鉄心と、上記円筒状の固定子鉄心に設けられ、上記永久磁石と対向する固定子コイルとで構成された固定子、上記回転軸と直結された牽引綱車を備えたものである。
ものである。
【発明の効果】
【０００６】
この発明のエレベータ用巻上機によれば、高いトルクを得ると共に、部品点数とコストを削減することができる。
【発明を実施するための最良の形態】
【０００７】
実施の形態１．
図１はこの発明の実施の形態１であるエレベータ用巻上機を示す構成断面図である。回転軸１を軸とし、回転軸１の軸方向に延びる２個の同軸円筒状の回転子鉄心２，３は、その一端が円盤状の回転子フレーム４を介して回転軸１と一体になっている。永久磁石５，６が円筒状回転子鉄心２，３の外面に貼り付けられている。回転子７は回転子鉄心２，３、回転子フレーム４、永久磁石５，６で構成されている。回転軸１と牽引綱車（図示せず）は直結されている。
【０００８】
回転子鉄心２，３の軸方向の他端は開放され、固定子フレーム８が微小な隙間を隔てて、回転子鉄心２，３の端面まで覆っている。固定子フレーム８には、円筒状回転子鉄心２，３に対向し、回転軸１を軸とし、回転軸１の軸方向に延びる２個の同軸概略円筒状の固定子鉄心９，１０が設けられている。円筒状の固定子鉄心９，１０には、永久磁石５，６と対向して固定子コイル１１，１２が巻かれている。固定子フレーム１３は外側の固定子鉄心９の開放端を覆い、回転子フレーム４と隙間を隔てて設けられている。回転軸１は固定子フレーム８，１３に設けた軸受１４，１５で回転可能に支承されている。固定子１４は
固定子フレーム８，１３、固定子鉄心９，１０、固定子コイル１１，１２で構成されている。
【０００９】
回転子７側の永久磁石５と固定子１４側の固定子コイル１１、及び、回転子７側の永久磁石６と固定子１４側の固定子コイル１２とは対になり、永久磁石５，６の回転位置に応じて、固定子コイル１１，１２に三相交流を通電することにより、永久磁石同期電動機として、永久磁石５，６と固定子鉄心９，１０間にトルクが発生し、回転子７が回転する。それに伴ない、回転軸１に直結された牽引綱車が電動機の回転に応じて回転し、牽引綱車に巻き掛けられたロープが巻き上げられる。
【００１０】
この発明のツイン電動機は、回転子１個と大小２個の固定子を用いている。ツイン電動機を回転子１個で構成することにより、従来の回転子２個を用いる場合と同等の高いトルクが得られ、しかも部品点数とコストを削減することができる。
また、大小の２つの固定子をまとめて用いることにより、電動機を薄形化することができ、機械室レスエレベータ用機器として昇降路に配置することができるので、薄形化と省スペース化に適している。
【産業上の利用可能性】
【００１１】
この発明のエレベータ用巻上機は部品点数とコスト低減を図りたい巻上機に適用して好適である。
【図面の簡単な説明】
【００１２】
【図１】この発明の実施の形態１であるエレベータ用巻上機を示す構成断面図である。
【符号の説明】
【００１３】
１  回転軸                              ２，３  回転子鉄心
４  回転子フレーム                      ５，６  永久磁石
７  回転子                              ８  固定子フレーム
９，１０  固定子鉄心                  １１，１２  固定子コイル
１３  固定子フレーム                    １４  固定子。
【図１】
2005112583.tif 000003
(57)【要約】【課題】脂肪吸収抑制作用を有する医薬及び機能性食品を提供する。【解決手段】コロハを有効成分とする脂肪吸収抑制剤を提供する。【選択図】なし【特許請求の範囲】
【請求項１】
コロハ抽出物を有効成分とする脂肪吸収抑制剤
【発明の詳細な説明】
【技術分野】
【０００１】  脂肪吸収抑制を目的とした医薬品、栄養機能食品、又は健康食品に関する。
【背景技術】
【０００２】  脂肪の過剰摂取は、これが原因で様々な生活習慣病を引き起こす。脂肪過剰摂取に起因する主な生活習慣病としては、肥満・糖尿病・動脈硬化・高脂血症などが挙げられ、健康を著しく損なうことになり得る。脂肪の吸収を抑制し、これらの生活習慣病を予防して改善しようとするものでは、キトサンなど幾つかの素材が知られているが、より効果の高い素材が求められている。【０００３】  コロハ（胡蘆巴、英名  ｆｅｎｕｇｒｅｅｋ、学名Ｔｒｉｇｏｎｅｌｌａ  ｆｏｅｎｕｍ  ｇｒａｅｃｕｍ）は、１年草のマメ科の植物で、古くからハーブとして中近東、アフリカ、インドで栽培され、食用や薬用として用いられてきた。また、日本ではカレーの原料として使用されている。インドでは、調味料として用いられているだけではなく、栄養補給、食欲増進、解熱、授乳期の女性の催乳作用などに効果があると言われている。最近では、糖尿病や、高コレステロール血症（Ｓｈａｒｍａ  ｅｔ  ａｌ．，Ｐｈｙｔｏｔｈｅｒａｐｙ  Ｒｅｓｅａｒｃｈ  １０，３３２−３３４，１９９６）、胃潰瘍（Ｓｕｊａ  Ｐａｎｄｉａｎ  ｅｔ  ａｌ．，Ｊｏｕｒｎａｌ  ｏｆ  ｅｔｈｎｏｐｈａｒｍａｃｏｌｏｇｙ  ８１，  ３９３−３９７，２００２）などに効果が認められたという報告も多い。血中中性脂肪値に関しては、コロハが糖尿病患者の血中中性脂肪値を低下させる（Ｓｈａｒｍａ  ｅｔ  ａｌ．，Ｅｕｒｏｐｅａｎ  Ｊｏｕｒｎａｌ  ｏｆ  Ｃｌｉｎｉｃａｌ  Ｎｕｕｔｒｉｔｉｏｎ  ４４，３０１−３０６，１９９０）という報告もあるが、これは必ずしも脂肪吸収抑制作用を反映した効果とは限らない。また、正常人では血中中性脂肪値に変化を与えない（Ａ．Ｂｏｒｄｉａ  ｅｔ  ａｌ．，Ｐｒｏｓｔａｇｌａｎｄｉｎｓ，Ｌｅｕｋｏｔｒｉｅｎｅｓ  ａｎｄ  Ｆａｔｔｙ  Ａｃｉｄｓ，５６（５），３７９−３８４，１９９７）という報告もあり、これらの報告を考えあわせても、コロハに脂肪吸収抑制作用があるということを容易に想像することは困難である。従って脂肪吸収抑制効果があるという報告は全くないと言ってよい。
【発明の開示】
【発明が解決しようとする課題】
【０００４】  脂肪吸収を抑制する医薬品、栄養機能食品、健康食品を提供することにある。
【課題を解決するための手段】
【０００５】  上記の課題を解決するために鋭意検討を重ねた結果、コロハ抽出物に、顕著な脂肪吸収阻害活性があることを見いだした。すなわち、本発明は、コロハ抽出物を有効成分とする脂肪吸収抑制作用を有する医薬品、栄養機能食品、健康食品を提供する。
【発明の効果】
【０００６】  本発明により、コロハを有効成分とする脂肪吸収抑制作用を目的とした医薬品、栄養機能食品、又は健康食品を人間および動物に提供することができる。
【発明を実施するための最良の形態】
【０００７】  本発明に関わるコロハ（胡蘆巴）とは英名  ｆｅｎｕｇｒｅｅｋ、学名Ｔｒｉｇｏｎｅｌｌａ  ｆｏｅｎｕｍ  ｇｒａｅｃｕｍをさす。【０００８】  本発明に関わる脂肪吸収阻害剤を製造するには、上記の方法で製造したコロハ抽出物を用いることができ、常法に従って公知の医薬用無毒性担体と組み合わせて製剤化すればよい。本発明に関わる脂肪吸収抑制剤は、種々の剤型での投与が可能であり、例えば、経口投与剤としては錠剤、顆粒剤、散剤、カプセル剤、ソフトカプセル剤等の固形剤、溶液剤、懸濁剤、乳剤等の液剤、凍結乾燥製剤等が挙げられ、非経口投与剤としては、注射剤のほか、坐剤、噴霧剤、経皮吸収剤等が挙げられ、これらの製剤は製剤上の常套手段により調製することができる。上記の医薬用無毒性担体としては、例えば、グルコース、乳糖、ショ糖、澱粉、マンニトール、デキストリン、脂肪酸グリセリド、ポリエチレングリコール、ヒドロキシエチルデンプン、エチレングリコール、ポリオキシエチレンソルビタン脂肪酸エステル、アミノ酸、アルブミン、水、生理食塩水等が挙げられる。また、必要に応じて、安定化剤、滑剤、湿潤剤、乳化剤、結合剤等の慣用の添加剤を適宜添加することができる。本発明に関わる持久力増強剤において、コロハ抽出物の投与量は、患者の年齢、体重、症状、疾患の程度、投与スケジュール、製剤形態等により、適宜選択・決定されるが、例えば、一日あたり０．０１〜１０ｇ／ｋｇ体重程度とされ、一日数回に分けて投与してもよい。【０００９】  また、本発明に関わるコロハは、食経験も豊富なことから安全性が高いと考えられ、脂肪吸収抑制を目的として、機能性食品として摂取することもできる。本発明に関わるコロハ抽出物を含有することを特徴とする機能性食品は、特定保健用食品、栄養機能食品、又は健康食品として位置付けることができる。機能性食品としては、例えば、コロハ抽出物に適当な助剤を添加した後、慣用の手段を用いて、食用に適した形態、例えば、顆粒状、粒状、錠剤、カプセル剤、ソフトカプセル剤、ペースト状等に形成したものを用いることができる。この機能性食品は、そのまま食用に供してもよく、また種々の食品（例えばハム、ソーセージ、かまぼこ、ちくわ、パン、バター、粉乳、菓子など）に添加して使用したり、水、酒類、果汁、牛乳、清涼飲料水等の飲物に添加して使用してもよい。かかる食品の形態における本発明のコロハ抽出物の摂取量は年齢、体重、症状、疾患の程度、食品の形態等により適宜選択・決定されるが、例えば、一日あたり０．０１〜１０ｇ／ｋｇ体重程度とされる。
【実施例】
【００１０】  以下に本発明をより詳細に説明するために実施例を挙げるが、本発明はこれらによって何ら限定されるものではない。【００１１】実施例  コロハ抽出物の脂肪吸収抑制活性
コロハ抽出物の脂肪吸収抑制効果を調べるために以下の実験を行った。すなわち６週齢、雌のｄｄＹマウスに尾採血を行った直後、コロハ抽出物（１．５ｇ／ｋｇ）１ｍｌとコーン油０．５ｍｌ、レシチン（大豆由来）１０ｍｌと生理食塩水０．５ｍｌからなるコーン油エマルジョン０．４ｍｌを同時に経口投与して、２時間後に再び尾採血を行った。コントロール群には水１ｍｌとコーン油エマルジョン０．４ｍｌを同時に経口投与し、それぞれの血中中性脂肪濃度を測定した。その結果を表に示す。数値は平均値±標準誤差（ｍｇ／ｄｌ）。カッコ内はコロハ抽出群がコントロールに対する有意差を示す。（ｓｔｕｄｅｎｔのＴ−ＴＥＳＴ）【００１２】  （表）
投与前                投与後
コントロール            １５７±４１          ６１６±２０９
１．５ｇ／ｋｇ投与群    １３５±２２          ２８３±１３１（ｐ＜０．００５）【００１３】  この結果からコロハ抽出物が脂肪吸収を抑制することが示された。
(57)【要約】【課題】髪の脱毛に悩む人は多く、その再生は困難であった。ミノキシジルは発毛剤として存在するものの、米欧からの副作用の報告は多く、昨今、日本においても死者が出たという報道があり、由々しいことである。【解決手段】現在、胃腸薬として、認識の高い合成ヒドロタルサイトが発毛ばかりか、たちまち、髪を生やしてくれることを発見し、許可申請する。【特許請求の範囲】
【請求項１】
合成ヒドロタルサイトを含有する、髪の発毛、育毛、養毛剤を製造、販売すること。
【請求項２】
合成ヒドロタルサイトを含有する、全身の皮膚の美肌剤を製造、販売すること。
【発明の詳細な説明】
【発明の詳細な説明】
【技術分野】
【０００１】人の全身の皮膚の正常化に有効な組成分の発見
【背景技術】
【０００２】世界的に公認された発毛剤には安全性に難がある。
多々ある、発毛育毛養毛剤には決定的効果がない。
【発明が解決しようとする課題】
【０００３】１、脱毛症の髪の再生
２、全身の皮膚の美化、健全化
【課題を解決するための手段】
【０００４】１、合成ヒドロタルサイトを主たる成分とする外用剤を頭皮に塗る。
２、全身の吹き出物、シミ、乾燥等の皮膚の異常に対し、同上の物を塗る。
【発明を実施するための最良の形態】
【０００５】外用品としての育毛剤（トニック、ジェル、シャンプー、リンス等）
美溶液（化粧水、乳液、クリーム等）
【発明の効果】
【０００６】２００３年７月１日から２ヶ月間、１８名のものに（水溶液５０ｍｌ中、合成ヒドロタルサイト２００ｍｇ）を主とする美溶液を週１回の割りで頭皮に塗った。驚異的に髪の数が増え、常識を覆す速さで伸びた。最初塗布して３週間経過すると髪は元に戻った。そこで、塗る回数を１日１回に増やした所、圧倒的有効を得た。
１、頭毛の全部がすべすべ状態、体毛も１本もない程の重症者には、２ヶ月中有効とはいえなかった。
２、頭部半分が抜け上がっている物には、確かに発毛し伸びて来るが、あまり太らず、２ヶ月間では、無効とも有効とも言えない。
３、日本人の髪の脱毛で悩む大多数である。一部が薄くなったものには１００％の有効性と満足度を得た。２ヶ月間でこれ程の効果を持つものはミノキシジル以外には本品しかないと思う。
(57)【要約】【課題】  従来の化粧品の問題を解消し、肌に対して良好な効果を与える化粧品を提供するために、化粧品の溶媒或いは分散媒としての化粧品用水の提供を課題とする。【解決手段】  化粧品の溶媒或いは分散媒となる本発明の化粧品用水は、化粧材料を溶かし或いは分散させるための水であって、有効成分としてマグネシウム、カリウム、セレン、コバルト、モリブデンを含有する。有効成分の含有は、実際にはイオンとしての含有、即ち溶解状態である。本発明の化粧品用水を溶媒或いは分散媒とした化粧品を用いることで、前記化粧品用水に含まれる有効成分であるミネラルが皮膚の表面から内部に浸透し、細胞を活性化させると共に、ビタミンによる働きや酵素の働きを助け、よって細胞を健全な状態に蘇らせ、化粧材料の効果と相俟って艶やかで潤いのある美肌に整えることができる。【選択図】        なし【特許請求の範囲】
【請求項１】
化粧材料を溶かし或いは分散させるための水であって、有効成分としてマグネシウム、カリウム、セレン、コバルト、モリブデンを含有することを特徴とする化粧品用水。
【発明の詳細な説明】
【技術分野】
【０００１】
本発明は化粧品用水に関し、詳しくは化粧材料を溶かし或いは分散させ、化粧水、化粧クリーム等を構成するのに用いる水に関する。
【背景技術】
【０００２】
従来、水溶性の化粧品は化粧材料を水に溶かし或いは水に混ぜることで、化粧材料を均一に溶かし或いは分散させた化粧水や化粧クリーム等としている。
【発明の開示】
【発明が解決しようとする課題】
【０００３】
ところが上記化粧品の溶媒或いは分散媒として用いられる水については、化粧品の主要な構成成分であるにもかかわらず。あまり研究がなされておらず、結果として、真に肌に有効な化粧品がなかった。
【０００４】
そこで本発明は上記従来の化粧品の問題を解消し、肌に対して良好な効果を与える化粧品を提供するために、化粧品の溶媒或いは分散媒としての化粧品用水の提供を課題とする。
【課題を解決するための手段】
【０００５】
上記課題を達成するため、本発明の化粧品用水は、化粧材料を溶かし或いは分散させるための水であって、有効成分としてマグネシウム、カリウム、セレン、コバルト、モリブデンを含有することを特徴としている。
【０００６】
上記において有効成分の含有は、実際にはイオンとしての含有、即ち溶解状態である。
【発明の効果】
【０００７】
請求項１に記載の化粧品用水によれば、化粧用材を溶かし或いは分散させるための水であって、有効成分としてマグネシウム、カリウム、セレン、コバルト、モリブデンを含有することにより、
この化粧用水を用いた化粧水、化粧クリーム、その他の化粧品を使用する場合には、前記化粧品用水に含まれる有効成分であるミネラルが皮膚の表面から内部に浸透し、細胞を活性化させると共に、ビタミンによる働きや酵素の働きを助け、よって細胞を健全な状態に蘇らせ、化粧材料の効果と相俟って艶やかで潤いのある美肌に整えることができる。
【発明を実施するための最良の形態】
【０００８】
以下、本発明の実施形態を更に詳細に説明する。
本発明の化粧品用水は、有効成分として、マグネシウム、カリウム、セレン、コバルト、モリブデンを溶解させたミネラル水である。
前記マグネシウムによる皮膚細胞ないし皮膚下の細胞への作用は、細胞膜の機能を高め、細胞老化、しわの発生を抑制する働きを行うことである。
このような作用を効果的に果たすことができるマグネシウムの１リットル中の含有量は、３７００〜５７００ｍｍｇとし、好ましくは４２００〜５２００ｍｍｇとする。
【０００９】
前記カリウムによる皮膚細胞ないし皮膚下の細胞への作用は、細胞組織への栄養素の伝達を担い、細胞の水分バランスを保持する働きを行うことである。
このような作用を効果的に果たすことができるカリウムの１リットル中の含有量は、１１００〜３１００ｍｍｇとし、好ましくは１６００〜２６００ｍｍｇとする。
【００１０】
前記セレンによる皮膚細胞ないし皮膚下の細胞への作用は、ビタミンＥと共に細胞組織の代謝機能を向上させ、抗酸化物質の生成を促進し、乾燥肌を防止する働きを行うことである。
このような作用を効果的に果たすことができるセレンの１リットル中の含有量は、２〜１４ｍｍｇとし、好ましくは５〜１３ｍｍｇとする。
【００１１】
前記コバルトによる皮膚細胞ないし皮膚下の細胞への作用は、血液から細胞組織へのグルコースの移動を助け、また鉄分の同化作用を助ける働きを行うことである。
このような作用を効果的に果たすことができるコバルトの１リットル中の含有量は、１〜８ｍｍｇとし、好ましくは２〜６．６ｍｍｇとする。
【００１２】
前記モリブデンによる皮膚細胞ないし皮膚下の細胞への作用は、細胞におけるｐＨバランスの調整を助け、また酵素の活性化を助ける働きを行うことである。
このような作用を効果的に果たすことができるモリブデンの１リットル中の含有量は、０．００００１〜０．０００２ｍｍｇとし、好ましくは０．００００５〜０．０００１５ｍｍｇとする。
上記本発明の化粧品用水は、有効成分以外の他のミネラルを含有してもよい。
【００１３】
本発明の化粧品用水における、１リットル中の有効成分の含有量の具体的な１例としては、
マグネシウム  ：４７００ｍｍｇ
カリウム      ：２１００ｍｍｇ
セレン        ：９ｍｍｇ
コバルト      ：４．６ｍｍｇ
モリブデン    ：０．０００１ｍｍｇ
としている。
【００１４】
本発明の化粧品用水の製造は、上記有効成分を含有する鉱物、例えば花崗岩を原料として、これに無機酸、無機アルカリ、例えば食用の濃硫酸を作用させて、ミネラル成分を溶解、抽出する。そして、前記ミネラルを鉱物から溶解、抽出した原液を用いて、更に含有ミネラル成分を調整する。調整は前記原液に他の薬剤の添加操作、希釈操作、ｐＨ操作を繰り返すことにより行う、勿論、原液を複数の処理原液に分けて、個々処理原液毎に特定のミネラル成分を調整した後、それらを混合して全体として有効成分の含有量を調整するようにしてもよい。最終的には酸成分、アルカリ成分が肌に悪影響を与えない状態まで十分に希釈された水として生成する。
得られた本発明の化粧品用水を用いて、これに化粧材料を溶かし或いは分散させ、美容液、化粧水、化粧クリーム、化粧パウダー等を製造することができる。
(57)【要約】【課題】電線，ワイヤ，帯状物等の可撓性長尺物を巻回するためのプラスチック製の巻回ドラムであって、該巻回ドラムを回転自在に支持する軸に塗布された潤滑油が該巻回ドラムの両端板の表面に流れ出てラベル等が汚れたりするのを防ぐ。【解決手段】両端板２に形成された中心孔４の内周縁に内向きで先細テーパ状に延びる軸受筒６を一体に形成するとともに、該両端板の表面に中心孔の外周を囲繞する環状のリブ７，段差８等の凹凸部を一体に形成する。【選択図】図１
2005112483.tif 000002
【特許請求の範囲】
【請求項１】
両端板に形成された中心孔の内周縁に内向きで先細テーパ状に延びる軸受筒を一体に形成するとともに、該両端板の表面に中心孔の外周を囲繞する環状のリブ，段差等の凹凸部を一体に形成してなることを特徴としたプラスチック製巻回ドラム。
【発明の詳細な説明】
【技術分野】
【０００１】
本発明は、電線，ワイヤ，帯状物等の可撓性長尺物を巻回するためのプラスチック製の巻回ドラムに関するものである。
【背景技術】
【０００２】
電線，ワイヤ，帯状物等の可撓性長尺物を巻回するプラスチック製鍔付きドラムは、下記特許文献１等により知られている。
【特許文献１】特開２００３−２０６０７６号公報
【発明の開示】
【発明が解決しようとする課題】
【０００３】
ところで、この種の巻回ドラムでは一般に図５に示したように潤滑油が塗布された丸棒状の軸ａを該巻回ドラムｂの中心孔ｃに貫挿することで該巻回ドラムを回転自在に支持し、該巻回ドラムに例えば電線を巻回させているが、軸ａに塗布された潤滑油ｄが該巻回ドラムの回転時に中心孔ｃから外に流れ出し該巻回ドラムの両端板に貼付された品名、仕様等を表示するラベルｅにまで付着し汚すことがあり、そのために表示を見にくくしたり商品価値を損ねるおそれがあった。
【０００４】
そこで本発明は上記潤滑油が両端板の表面に可及的に流れ出ないようにするものである。
【課題を解決するための手段】
【０００５】
そのために本発明に係るプラスチック製巻回ドラムは、両端板に形成された中心孔の内周縁に内向きで先細テーパ状に延びる軸受筒を一体に形成するとともに、該両端板の表面に中心孔の外周を囲繞する環状のリブ，段差等の凹凸部を一体に形成してなることを特徴とする。
【発明の効果】
【０００６】
軸受筒の内周面との円錐状の空隙に溜まった潤滑油が凹凸部を乗り越えて両端板の表面に流れ出にくくなり、ラベル等が潤滑油が付着して汚れるのを防ぐことができる。
【実施例１】
【０００７】
図１は本発明に係るプラスチック製巻回ドラムの外観斜視図で、１はプラスチックにより成形された筒状胴体、２は補強のため多数の格子状リブが形成されたプラスチック製の円板状の端板である。該筒状胴体１の両端に端板２を数本のボルト３により固着することによりこの巻回ドラムが組み立てられる。４は該端板２の中心に貫通状に形成された中心孔、５はラベルを剥がし易くするために端板２の表面の一部を粗面に成形したラベル貼付用領域である。
【０００８】
また、図２に縦断面図を示したように、該端板２の中心孔４は、その内周縁に内向きで先細テーパ状に延びる軸受筒６が一体に形成され、該軸受筒が該中心孔４に貫挿された軸ａの外周面に接触することによりこの巻回ドラムが回転自在に支持される。なお、軸ａの外周面に塗布された潤滑油は軸受筒６の内周面との円錐状の空隙ｇに溜まり得る。そして、本発明では該端板２の表面に中心孔４の外周を囲繞する環状のリブ７を一体に形成することにより、空隙ｇに溜まった潤滑油が該リブ７を乗り越えて該端板２の表面に流れ出にくいようにしている。
【実施例２】
【０００９】
一方、図３に示した実施例は、端板２の表面に中心孔４の外周を囲繞する環状の段差８を一体に形成することにより、空隙ｇに溜まった潤滑油が該段差８を乗り越えて該端板２の表面に流れ出にくいようにしたものである。その他の構成は図１，図２と同様であるので同一部分に同一符号を付す。
【実施例３】
【００１０】
また、図４に示した実施例は、端板２の表面に中心孔４の外周を囲繞するリブ７ａおよびリブ７ｂを２重環状に形成することにより、空隙ｇに溜まった潤滑油が該リブ７ａおよびリブ７ｂを乗り越えて該端板２の表面に流れ出にくいようにしたものである。その他の構成は図１，図２と同様であるので同一部分に同一符号を付す。
【００１１】
このように本発明では、両端板２の表面に中心孔４の外周を囲繞する環状のリブまたは段差等の凹凸部を一体に形成することにより該凹凸部が障害となり潤滑油を両端板２の表面に流れ出にくくすることができる。
【００１２】
なお、一般に巻回ドラムは、上記軸ａが貫挿されると同時に回転するものであることから、回転中は常に天地が反転し重力方向が交替するので、高さ数ミリの凹凸部を形成するだけであっても回転中は常に天地が反転し重力方向が交替するので、潤滑油の流出防止効果を十分に得ることができる。
【図面の簡単な説明】
【００１３】
【図１】本発明の実施例を示すプラスチック製巻回ドラムの外観斜視図。
【図２】図１のプラスチック製巻回ドラムの要部の縦断面図。
【図３】図２の他の実施例を示した縦断面図。
【図４】図２の他の実施例を示した縦断面図。
【図５】従来のプラスチック製巻回ドラムの斜視図。
【符号の説明】
【００１４】
１          筒状胴体
２          端板
４          中心孔
５          ラベル貼付用領域
６          軸受筒
７          リブ
７ａ，７ｂ  リブ
８          段差
ａ          軸
ｇ          空隙
【図１】
2005112483.tif 000003
【図２】
2005112483.tif 000004
【図３】
2005112483.tif 000005
【図４】
2005112483.tif 000006
【図５】
2005112483.tif 000007
(57)【要約】      （修正有）【課題】従来は廃棄或いは保存する物を一旦手袋でつかみそれを袋に入れていた。これは面倒であり、又その時に物を落としたり、こぼしたりする事もある。【解決手段】手袋の部分と袋の部分を一体型にする事により落ちこぼしを防ぐ事が出来て、袋へ入れる為の手間を省く事も出来る。【選択図】図１
2005112460.tif 000002
【特許請求の範囲】
【請求項１】
手袋の部分と袋の部分を一体型にしたもの。
【発明の詳細な説明】
【発明の詳細な説明】
この発明は従来の塩化ビニール、ポリエステル、布、ゴ厶、紙等で作られている手袋と袋を一体型にしたものである。
従来は廃棄すべき物、或いは保存すべき物を手袋でつかんで、次に別の袋に入れていたが、この発明はつかむと同時に収納出来る袋を備えている。
本発明の手袋、袋一体型の便利手ふくろは医療用、工業用、料理業用、家庭用或はペットの汚物処理用等々の面で安全に且つ衛生的に使用する事が出来る。
この発明では透明性のポリエステルを材料に使用している。
以下にこれを説明すると；
（イ）折りたたまれている手袋部分に手を入れ、袋部分を腕の方へ手繰り上げる。
物をつかんだ後に袋部分を手袋部分の方へたぐりよせて、つかんだ物を袋部分に入れて手袋部分から手を引き抜く。
（ロ）ミトン（親指だけ離れた手袋）にする事で手の着脱が容易になり手袋の部分は袋部分の延長として使用出来る。
（ハ）袋の開口部分に取り付けられている紐、又は他の輪ゴ厶、又は袋の開口部分の両端の結び合わせ、又は開口部分を丸結びにして袋を閉じる。
【図面の簡単な説明】
【図１】折りたたまれている本発明の手袋、袋一体型の便利手ふくろを少し広げて正面、やや斜め上から透かして見た図。手袋部分が点線で見えている。
【図２】本発明の手袋、袋一体型の便利手ふくろの全体を正面から見た図。
【符号の説明】
１は手袋部分  ２は手の差し入れ部分  ３は袋部分  ４は袋の開口部分
５は閉じ紐
【図１】
2005112460.tif 000003
【図２】
2005112460.tif 000004
(57)【要約】【目的】（イ）−ＣＤの内容がアルバムを見る事で一目瞭然としてわかる。（ロ）−音楽ＣＤを保管する時、複数枚の歌詞カードも同一ケースに入れる事が出来る。（ハ）−写真保存用ＣＤを保管する時、プリントしたインデックス写真も同一ケースに入れる事が出来、ＣＤに記録されている全ての写真がわかります。（ニ）−パソコンを使用せずともＣＤの内容がわかります。【構成】ＣＤケースの中にＣＤ及び写真や書類を入れる事が出来る収納袋を背貼り又はジャバラ状につなげたアルバムをケースに貼り付けた状態、又は入れ出しが可能な状態で収納出来る、アルバム入りＣＤケース。【選択図】    図１
2005112463.tif 000002
【特許請求の範囲】
【請求項１】
ＣＤケースの中に写真や書類を入れる事の出来る収納袋を背貼りしたアルバムをケースに貼り付けた、アルバム入りＣＤケース。
【請求項２】
ＣＤケースの中に写真や書類を入れる事の出来る収納袋を背貼りしたアルバムを入れ出しが出来る、アルバム入りＣＤケース。
【請求項３】
ＣＤケースの中に写真や書類を入れる事の出来る収納袋がジャバラ状につながるアルバムをケースに貼り付けた、アルバム入りＣＤケース。
【請求項４】
ＣＤケースの中に写真や書類を入れる事の出来る収納袋がジャバラ状につながるアルバムを入れ出しが出来る、アルバム入りＣＤケース。
【発明の詳細な説明】
【発明の詳細な説明】
（産業上の利用分野）
【０００１】本発明はＣＤケースの中に写真や書類を入れる事が出来る収納袋をマトメたアルバムを入れる事でＣＤの内容が一目瞭然にわかります。
（従来の技術）
【０００２】従来、ＣＤケースの中には表紙一枚ぐらいを挟みこんで有りこれ以上の写真又は活字での情報量が無かった。
（発明が解決しょうとする課題）
【０００３】ＣＤケースの中にＣＤ及びこれに関する書類又は写真を見やすく整理出来る収納袋をマトメたアルバムを入れる事でパソコンを使用しなくてもＣＤの内容が一目瞭然となり、ＣＤの保管、管理が容易と成ります。
（課題を解決するための手段）
【０００４】ＣＤケースの中にＣＤ及び写真や書類を入れる事の出来る収納袋をマトメたアルバムをケースに貼り付けた状態又は、アルバムを入れ出しが可能な状態で収納出来るＣＤケースとする。
（作用）
【０００５】以上の構成で有るから、ＣＤ及びこれに関する書類又は写真を同一のケースの中に入れて保管、管理する事が出来ます。
（実施例）
【０００６】（イ）−アルバムの寸法はＣＤケースに入る物とする。
（ロ）−収納袋は透明樹脂、樹脂、紙、布の単体又は複合体で製作し、アルバムはこの収納袋の集合体とする。
（ハ）−収納袋の枚数は一枚以上多数枚とする。
（ニ）−収納袋の入れ口は上又は横いずれでも良い。
（ホ）−アルバムの形状は背貼りをした収納袋又はジャバラ状につながる収納袋とする。
（ヘ）−アルバムはＣＤケースに貼り付けた物又は入れ出しが可能な物とする。
（ト）−ＣＤケースは硬質樹脂で有り、ＣＤの固定は表蓋、裏蓋又は中板いずれに取り付けても良く、アルバムの取り付け位置はＣＤを傷つけない位置であればどこでも良い。
（発明の効果）
【０００７】（イ）−ＣＤの内容がアルバムの中を見る事で一目暸然わかる。
（ロ）−音楽ＣＤを保管する時、複数枚の歌詞カードも同一ケースに入れる事が出来る。
（ハ）−写真保存用ＣＤを保管する時、プリントしたインデックス写真も同一ケースに入れる事が出来、ＣＤに記録されている全ての写真がわかります。
（ニ）−パソコンを使用せずともＣＤの内容がわかります。
【図面の簡単な説明】
【図１】収納袋を背貼りしたアルバム入りＣＤケースの斜視図
【図２】収納袋がジャバラ状につながるアルバム入りＣＤケースの斜視図
【符号の説明】
▲１▼−表蓋
▲２▼−裏蓋
▲３▼−中板ＣＤ固定板
▲４▼−収納袋
【図１】
2005112463.tif 000003
【図２】
2005112463.tif 000004